(57)【要約】      （修正有）【課題】メニューファイルの着脱を簡易にするメニューホルダーを提供する。【解決手段】カバー部１は折り込み部１１を中心として折り込み可能であって、この折り込み部の内面にメニュー表示ファイル２を磁気固定手段の磁着片３１と被磁着片３２を介して着脱可能に取り付けてあり、メニュー表示ファイル２はメニュー用紙を開口部から収納可能である収納空間を有しており、各収納空間の両面はメニュー表示部となっており、磁着片３１は折り込み部１１の両端に取り付けられ、被磁着片３２はメニュー表示ファイル２の一側端辺に設け、磁着片３１と磁気力によって互いに吸着可能である。【選択図】図１
0003154767.tif 000002
【実用新案登録請求の範囲】
【請求項１】
折り込み部を中心として折り込み可能であるカバー部と、上記カバー部の上記折り込み部の内面に着脱可能に取り付けてあるメニュー表示ファイルと、上記メニュー表示ファイルを上記折り込み部に取り付けるための磁気固定手段とを備えており、
上記メニュー表示ファイルは、メニュー用紙を開口部から収納可能である収納空間を有しており、
上記各収納空間の少なくとも片面はメニュー表示部となっており、
上記磁気固定手段は、上記折り込み部に設けてある第１磁気固定部と、上記メニュー表示ファイルの一側端辺側に設けてあって上記第１磁気固定部と磁気力によって互いに吸着可能である第２磁気固定部とからなる
ことを特徴とするメニューホルダー。
【請求項２】
カバー部は、表カバー部と裏カバー部とからなり、表裏両カバー部はいずれもメニュー用紙を開口部から収納可能である収納空間を有しており、上記各収納空間の少なくとも片面はメニュー表示部となっていることを特徴とする請求項１記載のメニューホルダー。
【請求項３】
磁気固定手段の第１磁気固定部は磁着片からなり、折り込み部に且つその長さ方向の両端側に間隔を置いて配置されていることを特徴とする請求項１又は請求項２記載のメニューホルダー。
【請求項４】
磁気固定手段の第２磁気固定部は、被磁着片からなることを特徴とする請求項３記載のメニューホルダー。
【請求項５】
磁気固定手段の第２磁気固定部は、ワイヤからなることを特徴とする請求項３記載のメニューホルダー。
【考案の詳細な説明】
【技術分野】
【０００１】
この考案は、メニュー表示ファイルを備えている折り畳み式のメニューホルダーに関するものである。
【背景技術】
【０００２】
メニュー表示ファイルを備えているメニューホルダーとして、例えば第３１１７２４７号登録実用新案公報及び特開２００５−１９９５８５号公報にそれぞれ記載の「メニューブック」（以下「従来例１」及び「従来例２」という。）などが提案されている。
従来例１は、折り込み部を中心として折り込み可能である薄形のカバー部を備えており、このカバー部の上記折り込み部の内面上に綴じ具を固定し、この綴じ具に取り外し可能のメニューファイルを取り付けているものである。上記綴じ具には間隔を置いて複数の開閉可能なリング状の綴じ環を起立してあり、上記メニューファイルがメニュー用紙を開口部から収納可能である透明の袋状のファイル部を有しており、一辺に複数の綴じ孔を開けてあり、上記メニューファイルの各綴じ孔は、上記綴じ環に係合可能である。
使用時には、メニュー用紙をメニューファイルのファイル部内へ収納する。そしてカバー部の折り込み部を中心として開き、この状態で綴じ具の綴じ環をメニューファイルの綴じ孔に係合させる。こうすると、メニュー用紙入りのメニューファイルはカバー部に綴じ具を通じて綴じ込められる。同様の方法で、他のメニュー用紙入りのメニューファイルについても、必要があればカバー部に綴じる。
従来例２はカバー部、メニューファイル及びメニューピンを備えている。上記カバー部は第１表紙部と、第２表紙部と、背表紙部とを一体連結し、この背表紙部を中心として二つ折り可能なものである。カバー部の内側には、メニューファイルとして、メニューが書き込まれた用紙を挿入自在とした袋状のファイルが折込部を中心として２連状態に形成されている。このようなメニューファイルをカバー部の内側にセットして、中央部の上下両側からメニューピンで挟んでカバー部に固定する。
【先行技術文献】
【特許文献】
【０００３】
【特許文献１】第３１１７２４７号登録実用新案公報
【特許文献２】特開２００５−１９９５８５号公報
【考案の概要】
【考案が解決しようとする課題】
【０００４】
従来例１は、本出願人に係るものであるが、その改善点としては、綴じ具の綴じ環を上記メニューファイルの綴じ孔に係合させるために、カバー部に対するメニューファイルの取外け及び取付しの回数が多い場合には、その取付け取り外し操作に手間がかかることになり、メニューファイルの着脱をより一層容易にすることである。
従来例２は、両側のメニューピンを用いてメニューファイルをカバー部に固定するものであるが、常に両側の２箇所においてメニューピンの一方の挟持片を差し込む必要があるために、メニューファイルの差し替え操作に手間がかかることになり、その差し替えに改善すべき点がある。
この考案の目的は、メニューファイルの着脱を簡易にするメニューホルダーを提供することにある。
【課題を解決するための手段】
【０００５】
この考案に係るメニューホルダーの第１の特徴は、折り込み部を中心として折り込み可能であるカバー部と、上記カバー部の上記折り込み部の内面に着脱可能に取り付けてあるメニュー表示ファイルと、上記メニュー表示ファイルを上記折り込み部に取り付けるための磁気固定手段とを備えていることにある。上記メニュー表示ファイルは、メニュー用紙を開口部から収納可能である収納空間を有しており、上記各収納空間の少なくとも片面はメニュー表示部となっている。上記磁気固定手段は、上記折り込み部に設けてある第１磁気固定部と、上記メニュー表示ファイルの一側端辺側に設けてあって上記第１磁気固定部と磁気力によって互いに吸着可能である第２磁気固定部とからなる。
この考案に係るメニューホルダーの第２の特徴は上記第１の特徴を備え、カバー部が表カバー部と裏カバー部とからなり、表裏両カバー部はいずれもメニュー用紙を開口部から収納可能である収納空間を有しており、上記各収納空間の少なくとも片面はメニュー表示部となっていることにある。
この考案に係るメニューホルダーの第３の特徴は上記第１又は第２の特徴を備え、磁気固定手段の第１磁気固定部が磁着片からなり、折り込み部に且つその長さ方向の両端側に間隔を置いて配置されていることにある。
この考案に係るメニューホルダーの第４の特徴は上記第３の特徴を備え、磁気固定手段の第２磁気固定部が被磁着片からなることにある。
この考案に係るメニューホルダーの第５の特徴は上記第３の特徴を備え、磁気固定手段の第２磁気固定部がワイヤからなることにある。
【考案の効果】
【０００６】
この考案のメニューホルダーによれば、カバー部には折り込み部に磁気固定手段を介してメニュー表示ファイルを取り付けるので、メニュー表示ファイルの着脱を簡易にすることができる。
【図面の簡単な説明】
【０００７】
【図１】この考案に係るメニューホルダーを分解しかつカバー部を開いた状態を示す一部切欠正面図である。
【図２】この考案に係るメニューホルダーを示す斜視図である。
【図３】この考案に係るメニューホルダーにおけるカバー部を開いた状態を示す背面図である。
【図４】この考案に係るメニューホルダーにおけるカバー部とメニュー表示ファイルとの接続状態を示す拡大端面図である。
【図５】この考案に係るメニューホルダーにおけるメニュー表示ファイルを示す背面図である。
【図６】図１のＶＩ−ＶＩ線拡大端面図である。
【図７】この考案に係るメニューホルダーにおける交換用のメニュー表示ファイルを示す一部切欠正面図である。
【図８】この考案に係るメニューホルダーにおける第２磁気固定部の他の例の使用状態を示す拡大端面図である。
【考案を実施するための形態】
【０００８】
この考案に係るメニューホルダーの実施形態について説明する。
図１及び図２において、メニューホルダーは、折り込み部１１を中心として折り込み可能であるカバー部１と、上記カバー部の上記折り込み部の内面に着脱可能に取り付けてあるメニュー表示ファイル２と、上記メニュー表示ファイルを上記折り込み部に取り付けるための磁気固定手段３とを備えている。
【０００９】
カバー部１は、図１〜図３に示すように、折り込み部１１と、この折り込み部を中心として幅方向（図１及び図３左右方向）に連続して設けてある表カバー部１２及び裏カバー部１３とからなる。
表カバー部１２及び裏カバー部１３は、図４に示すようにいずれも対向して配置してある対の透明板１２ａ，１２ｂ，１３ａ，１３ｂを備えている。対の透明板１２ａ，１２ｂ，１３ａ，１３ｂはその幅方向の外側端辺が重合され、重合部分は側縁カバー１４ａ，１４ｂで被覆されて縫糸などによって一体化されている（図１）。そして内側端辺は重合されているものの、一方（図４下方）の透明板１２ａ，１３ａの内側端辺は折り込み部１１の両側の側縁部１１１，１１２によってそれぞれ被覆され、各側縁部が各内側端辺に縫糸などによって固着されている。また他方（図４上方）の透明板１２ｂ，１３ｂの内側端辺は側縁カバー１４ｃ，１４ｄによってそれぞれ被覆され、各側縁カバー側が各内側端辺に縫糸などによって固着されている。
対の透明板１２ａ，１２ｂ及び対の透明板１３ａ，１３ｂの長さ方向（図１及び図３上下方向）の両側端辺が重合され、重合部分は側縁カバー１４ｅ，１４ｆで被覆されて縫糸などによって一体化されている。側縁カバー１４ｅ，１４ｆは表カバー部１２及び裏カバー部１３の両側端辺に跨って配置され、かつ折り込み部１１の両側端辺と交差されており、縫糸などによって折り込み部とも接続されている。
このため、表カバー部１２の対の透明板１２ａ，１２ｂ間及び裏カバー部１３の対の透明板１３ａ，１３ｂ間は、いずれもメニュー用紙４１，４２（図４）の収納空間１５ａ，１５ｂとなっており、折り込み部１１側がメニュー用紙を差入れ可能の開口部１６ａ，１６ｂとなっている（図１）。表カバー部１２は透明板１２ａ，１２ｂによって、そして裏カバー部１３は透明板１３ａ，１３ｂによっていずれも両面がメニュー表示部となっている。
【００１０】
メニュー表示ファイル２は、図１及び図４〜図６に示すように、互いに対向して配置されている透明板２１ａ，２１ｂと、各透明板の側辺を被覆する側縁カバー２２ａ，２２ｂ，２２ｃ，２２ｄ，２２ｅとからなる。
透明板２１ａ，２１ｂはいずれも同長であるが、一方（図６下方）の透明板２１ａの幅が他方の透明板２１ｂのそれよりも広く、図左側辺が透明板２１ｂの左側辺より左側に延伸されている。
対の透明板２１ａ，２１ｂはその幅方向の外側端辺が重合され、重合部分は側縁カバー２２ａで被覆されて縫糸などによって一体化されている。そして内側端辺に関しては、一方（図６下方）の透明板２１ａの内側端辺は側縁カバー２２ｂによって被覆され、この側縁カバーが内側端辺に縫糸などによって固着されている。また他方（図６上方）の透明板２１ｂの内側端辺は側縁カバー２２ｃによって被覆され、側縁カバーが内側端辺に縫糸などによって固着されている。
透明板２１ａ，２１ｂの長さ方向（図１及び図５上下方向）の両側端辺が重合され、重合部分は側縁カバー２２ｄ，２２ｅで被覆されて縫糸などによって一体化されている。
このため、メニュー表示ファイル２における透明板２１ａ，２１ｂ間は、メニュー用紙４３（図４）の収納空間２３となっており、内側端辺側がメニュー用紙を差入れ可能の開口部２４となっている（図１）。メニュー表示ファイル２は透明板２１ａ，２１ｂによって両面がメニュー表示部となっている。
【００１１】
図７に示すメニュー表示ファイル２Ａは交換用（予備用）であり、その構成は図１に示すメニュー表示ファイル２と実質的に同一である。すなわち、メニュー表示ファイル２Ａは、その幅がメニュー表示ファイル２のそれより広い点を除いてメニュー表示ファイル２と同一構成である。このため、メニュー表示ファイル２Ａの各構成部分の説明を省略する。
メニュー表示ファイル２Ａにおける透明板２１Ａａ，２１Ａｂ及び各透明板の側辺を被覆する側縁カバー２２Ａａ，２２Ａｂ，２２Ａｃ，２２Ａｄ，２２Ａｅは、いずれもメニュー表示ファイル２における透明板２１ａ，２１ｂ及び各透明板の側辺を被覆する側縁カバー２２ａ，２２ｂ，２２ｃ，２２ｄ，２２ｅにそれぞれ対応している。
図７において、２４Ａは開口部であり、メニュー表示ファイル２の開口部２４に対応している。
透明板２１Ａａ，２１Ａｂ間の収納空間（図示せず。）にはメニュー用紙を差入れ可能である。メニュー表示ファイル２Ａは透明板２１Ａａ，２１Ａｂによって両面がメニュー表示部となっている。
【００１２】
磁気固定手段３は図１、図３及び図４に示すように、磁気力によって互いに吸着可能である第１磁気固定部３１と第２磁気固定部３２とからなる。
図１及び図４において、第１磁気固定部である磁着片３１はカバー部１側に設けてある磁石片であり、図示の例ではカバー部１の折り込み部１１内面上に、その長さ方向の両端に固着されている。また、第２磁気固定部である被磁着片３２はメニュー表示ファイル２側に設けてあり、一方の透明板２１ａの内側端辺を被覆している側縁カバー２２ｂの長さ方向の両端にこの側縁カバーを挟持するようにＵ字形に折り曲げて固着されている鋼製のものである。
メニュー表示ファイル２側の各被磁着片３２はカバー部１側の各磁着片３１に対向配置されて、磁着片の磁気力によって吸引されて吸着される。このため、図４に示すようにメニュー表示ファイル２は磁着片３１及び被磁着片３２を通じてカバー部１の折り込み部１１内面上に起倒可能に取り付けられる。
メニュー表示ファイル２と同様に、図７に示すメニュー表示ファイル２Ａ側に被磁着片３２に相当する被磁着片３２Ａを配置してある。メニュー表示ファイル２Ａは、必要時には、磁着片３１及び被磁着片３２Ａを通じてカバー部１の折り込み部１１内面上に起倒可能に取り付けられる。
【００１３】
次に、この考案に係るメニューホルダーの使用方法について説明する。
図１及び図４に示すように、メニュー用紙４１，４２，４３を表カバー部１２及び裏カバー部の各収納空間１５ａ，１５ｂ内に、そしてメニュー表示ファイル２の収納空間２３へ収納する。そしてカバー部１の折り込み部１１を中心として開き、この状態で折り込み部１１内面上の磁着片３１に対してメニュー表示ファイル２の被磁着片３２を接触させる。こうすると、メニュー用紙入りのメニュー表示ファイル２はカバー部１に磁着片３１の磁気力を通じて吸着され、取り付けられる。
メニュー用紙４１，４２，４３に関して、アルコール飲料に係るメニューを他の飲食用メニューと区別するために、アルコール飲料に係るメニューを表示しているメニュー用紙４３をメニュー表示ファイル２に入れ、他の飲食用メニューを表示しているメニュー用紙４１，４２を表カバー部１２及び裏カバー部の各収納空間１５ａ，１５ｂ内に納めることによって、使用者はアルコール飲料とその他の飲食物との識別が容易となる。
メニュー表示ファイル２に代えて、メニュー表示スペースの広い交換用メニュー表示ファイル２Ａを用いても良い。この際、折り込み部１１内面上の磁着片３１に対してメニュー表示ファイル２Ａの被磁着片３２Ａを接触させて、カバー部１に磁着片３１の磁気力を通じて吸着され、綴じ込める。
【００１４】
図１に示すメニューホルダーによれば、メニュー表示ファイル２をカバー部１の折り込み部１１内面の磁着片３１に対して被磁着片３２を接触させるだけで、その磁気力によってカバー部に取り付けることができ、またメニュー表示ファイルが不要の場合又は別のメニュー表示ファイル２Ａと交換する場合には、磁気力に抗してメニュー表示ファイルを後方に引っ張れば、容易に取り外すことができるので、メニュー表示ファイルの着脱が容易となる。
【００１５】
カバー部１において、表カバー部１２及び裏カバー部１３は透明板１２ａ，１２ｂを使用して、その内外両面がメニュー表示部となっているが、片面のみであっても良い。メニュー用紙４１，４２を差し入れる開口部１６ａ，１６ｂの配置位置は図１の例では折り込み部１１側であるが、必ずしもこの例に限定されない。
カバー部１に取り付けるメニュー表示ファイル２は図示の例では１枚であったが、例えば磁着片３１の幅を長くすることによって複数枚又はメニュー表示ファイル２，２Ａの双方を取り付けるようにしても良い。
磁気固定手段３に関しては、図１に示すように、第１磁気固定部に磁着片３１を、また第２磁気固定部に被磁着片３２を使用しているので構成が簡単となるから製造組み立てが簡易となるが、必ずしも片状のものに限定されない。例えば、図８では、被磁着片３２に代えて線状の第２磁気固定部を使用している。図示の例によれば、メニュー表示ファイル２では第２磁気固定部としてワイヤ３３を使用しており、このワイヤを透明板２１ａ内側端面に沿って配置して、側縁カバー２２ｂで被覆保持している。ワイヤ３３の両端が磁着片３１に磁着可能である。
磁着片３１及び被磁着片３２は図１に示すよう露出状態に取り付けられているが、折り込み部１１内及び側縁カバー２２ｂ内に埋め込んでも良い。
【符号の説明】
【００１６】
１                    カバー部
１１                  折り込み部
１２                  表カバー部
１３                  裏カバー部
１２ａ，１２ｂ        透明板
１５ａ，１５ｂ        収納空間
１６ａ，１６ｂ        開口部
２，２Ａ              メニュー表示ファイル
２３                  収納空間
２４                  開口部
３                    磁気固定手段
３１                  磁着片（第１磁気固定部）
３２                  被磁着片（第２磁気固定部）
３３                  ワイヤ（第２磁気固定部）
４１，４２，４３      メニュー用紙
【図１】
0003154767.tif 000003
【図２】
0003154767.tif 000004
【図３】
0003154767.tif 000005
【図４】
0003154767.tif 000006
【図５】
0003154767.tif 000007
【図６】
0003154767.tif 000008
【図７】
0003154767.tif 000009
【図８】
0003154767.tif 000010